(57)【要約】      （修正有）【課題】子供がいたずらで操作しても開けることができ難い構造にする。【解決手段】油受皿上に倒立させて載置し燃油を供給するタンク本体１の注油口３に、軸２５を支点として起伏自在とした基部８に設けた注油口キャップ７を密接すると共に、この密接状態を注油口側の固定板４上に設けられた一対の支持片３０・３１に摺動自在に支持された係止ロット２９と、基部側に備えられたフック金具４２の係合部４８との係合で保持するものに於いて、フック金具の係合部と対向する係止ロットに溝部を設け、基部を開く時には、この基部を固定板側に押圧して、係止ロットの溝部から係合部を外した後、係止ロットを摺動することで基部を開く二重ロック手段を設ける。【選択図】図１
2014052083.tif 000002
【特許請求の範囲】
【請求項１】
油受皿上に倒立させて載置し燃油を供給するタンク本体の注油口に、軸を支点として起伏自在とした基部に設けた注油口キャップを密接すると共に、この密接状態を注油口側の固定板上に設けられた一対の支持片に摺動自在に支持された係止ロットと、基部側に備えられたフック金具の係合部との係合で保持するものに於いて、前記フック金具の係合部と対向する係止ロットに溝部を設け、前記基部を開く時には、この基部を固定板側に押圧して、前記係止ロットの溝部から係合部を外した後、係止ロットを摺動することで基部を開く二重ロック手段を設けたことを特徴とするカ−トリッジ式給油タンク。
【請求項２】
油受皿上に倒立させて載置し燃油を供給するタンク本体の注油口に、軸を支点として起伏自在とした基部に設けた注油口キャップを密接すると共に、この密接状態を注油口側の固定板上に設けられた一対の支持片に摺動自在に支持された係止ロットと、基部側に備えられたフック金具の係合部との係合で保持するものに於いて、前記フック金具の係合部と対向する係止ロットに凸部を設け、前記基部を開く時には、この基部を固定板側に押圧して、前記係止ロットの凸部から係合部を外した後、係止ロットを摺動することで基部を開く二重ロック手段を設けたことを特徴とするカ−トリッジ式給油タンク。
【発明の詳細な説明】
【技術分野】
【０００１】
この発明は石油スト−ブ・石油ファンヒ−タ−等の石油燃焼器具に用いるカ−トリッジ式給油タンクに関するものである。
【背景技術】
【０００２】
従来よりこの種のものに於いては、図６で示すように、注油口キャップを軸を支点に起伏自在とすることで、手を汚すことなくワンタッチで注油口の開閉が行えるようにしたもので、注油口キャップ側のフック金具１０１を注油口側の係止ロット１０２に係合させることにより、注油口と注油キャップを密接させていた。
この係止ロット１０２は、注油口を設けた側の壁面でかつ注油口の根元に固定された板状の固定板１０３より切り起こされた一対の支持片１０４に摺動自在に支持され、又その一方の支持片１０４と係止ロット１０２の略中央に固定されたＥリング１０５の間に設けられその係止ロット１０２が挿通されているスプリング１０６により常に内側方向に弾設され、その一端にはこのスプリング１０６に反して係止ロット１０２を摺動させる操作ボタン１０７が備えられている。
注油口の蓋側基部１０８には切り起こされた軸支片１０９に挿通する支軸１１０に回動自在に取り付けた前記フック金具１０１が、係止ロット１０２と対向する位置に設けられている。
また、係止ロット１０２の先端部は単に円柱状に構成されており、給油時には操作ボタン１０７を引くことで、係止ロット１０２が摺動して係止ロット１０２の先端部がフック金具１０１から解除され基部１０８が開いて注油口から給油作業を行うことができるものである。（例えば、特許文献１参照）
【先行技術文献】
【特許文献】
【０００３】
【特許文献１】特許第３０５４０５０号公報
【発明の概要】
【発明が解決しようとする課題】
【０００４】
ところでこの従来のものでは、操作ボタンを引くだけで注油口の蓋を開くことができるので、簡単に操作できることは便利であるが、子供がいたずらで操作しても開けることができるので、子供のいたずらによって開蓋状態の給油タンクが転倒すれば燃油が床面にこぼれ、これによって最悪の場合火災発生の危険がある。
そして近年このような事故が発生しないように、より安全な構造を求める社会的な機運があり、操作が簡単で且つ安全性を高めていく必要が有った。
【課題を解決するための手段】
【０００５】
この発明はこの点に着目し上記欠点を解決する為、特にその構成を、油受皿上に倒立させて載置し燃油を供給するタンク本体の注油口に、軸を支点として起伏自在とした基部に設けた注油口キャップを密接すると共に、この密接状態を注油口側の固定板上に設けられた一対の支持片に摺動自在に支持された係止ロットと、基部側に備えられたフック金具の係合部との係合で保持するものに於いて、前記フック金具の係合部と対向する係止ロットに溝部を設け、前記基部を開く時には、この基部を固定板側に押圧して、前記係止ロットの溝部から係合部を外した後、係止ロットを摺動することで基部を開く二重ロック手段を設けたものである。
【発明の効果】
【０００６】
この発明によれば、右手と左手を同時に使用する二重のロック構造とすることで、子供がいたずらして操作ボタンを摺動しようとしても簡単には開けることができない安全性に優れたものであり、且つ、使用者は基部を上から押圧する動作を追加するだけなので比較的簡単に開蓋することができるものである。
【図面の簡単な説明】
【０００７】
【図１】この発明一実施例を付したタンク本体の開蓋状態の要部斜視図。
【図２】同器具内にセットした状態の要部断面図。
【図３】同係止ロットとフック金具が係合した状態の正面図。
【図４】他の実施例を示す係止ロットとフック金具が係合した状態の正面図。
【図５】同一部を切欠いた石油燃焼器具の正面図。
【図６】従来例を示す係止ロットとフック金具が係合した状態の正面図。
【発明を実施するための形態】
【０００８】
次にこの発明に係るカ−トリッジ式給油タンクを図面に示された一実施例で説明する。
１は縦長状で周知の石油スト−ブや石油ファンヒ−タ−等の石油燃焼器具２に用いるカ−トリッジ式のタンク本体で、一壁面に螺子を形成した注油口３を突出開口している。
前記注油口３を設けた側の壁面で、且つ注油口３の根元に板状の固定板４を接着剤等の接着手段を介して接着した後、螺子を形成し略ラッパ状の押さえ環５を注油口３に螺合し、その先端の押圧部６で押圧し固定板４を固定し、更にこの時押さえ環５の後端は注油口３の先端より高さを低くしている。
【０００９】
７は固定板４に支持される基部８のほぼ中央より突設した逆凹状の注油口キャップで、該注油口キャップ７の外径は注油口３及び押さえ環５の外径より大と成し、且つその高さは注油口３より低くしている。
９は燃油を落差で供給する給油装置で、注油口キャップ７内中央にカシメられて取り付けられ、開閉弁１０と心棒１１と該開閉弁１０を常に弾設するスプリング１２と連通口１３を有した弁ケ−ス１４とから構成されている。
【００１０】
１５は注油口キャップ７の内面に取り付けられる耐油性で筒状のパッキンで、上下端には外方に延びたテ−パ−部１６・１７が設けられ、更にこのテ−パ−部１６・１７間にはパッキン１５の伸縮をガイドする金属製のガイド筒１８と、パッキン１５の抜けを複数のダボ１９との係止で防止する合成樹脂製のパッキン支持筒２０とを間にコイル状のスプリング２１を介在させて備えている。
前記パッキン１５の両テ−パ−部１６・１７内端には、注油口キャツプ７内面と密接する上舌状部２２と、閉蓋時注油口３上端と密接する下舌状部２３とが設けられ、この上舌状部２２は先端部をあまり突出させず巻き込みを防止しながら受圧面積を広くする為に、根元部を内方にく字状に切欠いて形成している。
【００１１】
又パッキン１５のほぼ中央部には、パッキン１５の伸縮を吸収する内方に突出した伸縮吸収部２４が形成され、この突部の深さはパッキン１５の肉厚の２倍以内として、収縮力を抑え上・下舌状部２２・２３のシ−ル性を良好としている。
前記基部８はその周縁を下方に屈曲させると共に、一方は軸２５を支持するカ−リング状の支持部２６を設け、対応する固定板４の端部にも軸２５を支持するカ−リング状の支持部２７を設け、更に各支持部２６・２７のいずれか一方の内径は他の内径より大径として遊びを持たせている。
【００１２】
又前記軸２５には基部８をタンク本体１の反対方向に持ち上げるように作用する弾性部材２８が設けられ、基部８全体が軸２５を中心にして注油口キャップ７が注油口３を覆い、パッキン１５に密接するよう起伏自在に成す。
２９は固定板４から切り起こされた一対の支持片３０及び支持片３１に摺動自在に支持された係止ロットで、該支持片３０と係止ロット２９の略中央に固定されたＥリング３２の間に設けられ該係止ロット２９が挿通されたスプリング３３によって常に内側方向に弾設され、一端にはこのスプリング３３に反して係止ロット２９を摺動させる操作ボタン３４が備えられている。
【００１３】
又、この係止ロット２９の前方には、係止ロット２９の中央部３５より径の小さい先端部３６を設けることにより段状の当接部３７を形成し、係止ロット２９の後方には、係止ロット２９の中央部３５より径が大きく操作ボタン３４の径より小さい後端部３８を設けている。
又、前記係止ロット先端部３６の支持片３１に近い固定板４側には溝部３９を設けている。
又、上記支持片３０及び支持片３１には、係止ロット２９の中央部３５が挿通する丸孔４０及び係止ロット２９の先端部３６が挿通する丸孔４１を形成すると共に、スプリング３３により当接部３７と支持片３１が当接するように常に係止ロット２９が付勢されている。
【００１４】
４２は基部８側で係止ロット２９と対向する位置に備えられたフック金具で、切り起こされた軸支片４３に挿通する支軸４４に回動自在に取り付けられ、基部８を押して注油口３を閉じる際、係止ロット２９とフック金具４２の当接片４５が当接して、フック金具４２が支軸４４の先端側の軸支片４３と支軸４４の先端に固定されたＥリング４６の間に設けられたバネ４７に反して回動し、先端の略Ｕ字状のカギ形の係合部４８で該係止ロット２９と係止するもので、更にこのフック金具４２には係止状態を越えての回動を阻止すると共に、係止完了を「パチン」という音で報知する為に基部８と当接する報知部４９が形成されている。
【００１５】
前記フック金具４２の係合部４８と係止ロット２９の溝部３９は対向して設けられ、係合部４８が溝部３９に食い込むことで、係止ロット２９の摺動を阻止するものであり、前記基部８を開く時には、この基部８を固定板４側に一旦押圧して、溝部３９から係合部４８を外した後でなければ、係止ロット２９を摺動できない二重ロック構造（手段）にすることで、子供等がいたずらして操作ボタン３４を摺動しようとしても簡単には開けることができないものであり、且つ、使用者は基部８を上から押圧する動作を追加するだけなので比較的簡単に開蓋することができるものである。
【００１６】
５０は石油燃焼器具２の一側方に設けたタンク室で、下方には油受皿５１を位置させ、そのほぼ中央より押上ピン５２を立設し、タンク本体１を倒立して載置させ、燃焼に必要な燃油を供給し燃焼筒５３で燃焼させる。
【００１７】
次にタンク本体１への燃油の注油が完了した後、注油口３に注油口キャップ７を密着させて閉じる動作について説明する。
注油が完了した後、手で軽く基部８を係止ロット２９側へ押圧すると係止ロット２９の先端部３６とフック金具４２の当接片４５が当接し、更に手で押していくと当接片４５が傾斜しているので、係止ロット２９に押されてバネ４７に反して支軸４４を中心にフック金具４２が回動する。
【００１８】
そしてフック金具４２の当接片４５が係止ロット２９の先端部３６の位置にくるまでフック金具４２が回動すると、フック金具４２がバネ４７の付勢により逆方向に回動してカギ形の係合部４８に係止ロット２９の溝部３９が係合して注油口３と注油口キャップ７が密接する。
この時、フック金具４２の報知部４９が基部８と当接して「パチン」という音を発して係止が完了した状態であることを報知する。
【００１９】
次に上記の状態から基部８（注油口３の蓋）を開く動作について説明すれば、まず右手で基部８を上方から下側（固定板４側）へ押圧して（矢印Ａ）、フック金具４２の係合部４８と係止ロット２９の溝部３９の係合を解除した状態で、左手で操作ボタン３４を引いて（矢印Ｂ）係止ロット２９を摺動すれば、フック金具４２と係止ロット２９の先端部３６の係合が外れ、基部８に取り付けられた弾性部材２８の作用で開くものであり、右手と左手を同時に使用する二重のロック構造とすることで、子供がいたずらして操作ボタン３４を摺動しようとしても簡単には開けることができない安全性に優れたものであり、且つ、使用者は基部８を上から押圧する動作を追加するだけなので比較的簡単に開蓋することができるものである。
又、左手を基部８に添えて開蓋することで、開蓋の回転速度も左手で調整できるものであり、開蓋の勢いが速すぎて注油口キャップ７先端表面に付着した燃油が開蓋によって跳ね飛ばされることも防止できる。
【００２０】
図４は他の実施例を示すもので、係止ロット２９の溝部３９に変えて、ピン状の凸部５４が立設して設けられており、この凸部５４がフック金具４２の係合部４８に係合して係止ロット２９の摺動を阻止して二重のロック構造を形成するものである。
尚、この実施例では凸部５４が摺動時に、支持片３１の丸孔４１を通過出来るように、この丸孔４１の一部を切り欠く等して、丸孔４１の形状変更が必要なものである。
【００２１】
このように、右手と左手を同時に使用する二重のロック構造とすることで、子供がいたずらして操作ボタン３４を摺動しようとしても簡単には開けることができない安全性に優れたものであり、且つ、使用者は基部８を上から押圧する動作を追加するだけなので比較的簡単に開蓋することができるものである。又、係止ロット２９に溝部３９や凸部５４を追加するだけで実施できるので、安価に製造できるものである。
【符号の説明】
【００２２】
１  タンク本体
３  注油口
４  固定板
７  注油口キャップ
８  基部
２５  軸
２９  係止ロット
３０・３１  支持片
３９  溝部
４２  フック金具
４８  係合部
５１  油受皿
【図１】
2014052083.tif 000003
【図２】
2014052083.tif 000004
【図３】
2014052083.tif 000005
【図４】
2014052083.tif 000006
【図５】
2014052083.tif 000007
【図６】
2014052083.tif 000008